(57)【要約】  【課題】  寸法の大型化を防いだ上でｉＶＤＲをスムーズに脱着可能にした装着ユニットを実現する。  【解決手段】  装着ユニット１０は、コネクタ部３１を実装したコネクタ基板３０をフローティング構造で取り付けたメインシャーシ１２に対してｉＶＤＲを装着するスライダー５０を摺動可能にして、ｉＶＤＲをコネクタ接続する。スライダー５０はｉＶＤＲを位置決め固定する係止爪７０、８０をｉＶＤＲの両側面に対向して設け、装着ユニット１０の厚み寸法が増加するのを防止する。また、装着ユニット１０は、スライダー５０の付勢方向をスライダー５０の位置に応じて逆転させて、ｉＶＤＲの挿入時には適度な抵抗感をユーザに与えると共に、ｉＶＤＲのコネクタ接続時には接続を補助する方向にｉＶＤＲを付勢して、確実なコネクタ接続を可能にする。【選択図】      図３
2007080433.tif 000002
【特許請求の範囲】
【請求項１】
コネクタ接続部を有する幅に比べて厚みが薄いケース状の記憶媒体が装着される装着体と、該装着体を記憶媒体の装着方向に沿って摺動可能に取り付けたシャーシ部材とを備える記憶媒体装着装置において、
前記装着体の摺動終端側で該装着体に装着される記憶媒体へ接続できるように、前記シャーシ部材に弾性部材を介して取り付けてあるコネクタ部を備えることを特徴とする記憶媒体装着装置。
【請求項２】
記憶媒体の装着方向に平行的な両側面には凹部が形成してあり、
前記装着体は、
装着される記憶媒体の両側面にそれぞれ対向する両側の壁部と、
該両側の壁部にそれぞれ取り付けてあり、該両側の壁部で囲まれた空間へ突出する突出位置から非突出位置の範囲で変位可能な係止爪と、
該係止爪を前記突出位置の方向へ付勢する付勢手段とを備え、
前記係止爪は、前記装着体に装着される記憶媒体の凹部に前記突出位置で係止できるようにしてある請求項１に記載の記憶媒体装着装置。
【請求項３】
記憶媒体の装着方向に平行的な両側面には凹部が形成してあり、
前記シャーシ部材は、前記装着体を摺動させる摺動レールを該装着体に装着される記憶媒体の両側面にそれぞれ対向するように設けており、
前記摺動レールは、
前記装着方向に沿って延在する案内壁部を備え、
該案内壁部は、記憶媒体の側面に対向する面の一部に記憶媒体が装着される側へ壁厚が薄くなるように傾斜した傾斜面を形成しており、
前記装着体は、
両側の前記摺動レールの案内壁部にそれぞれ対向する両側の壁部と、
該両側の壁部で囲まれた空間へ突出する突出位置から非突出位置の範囲で変位可能に前記両側の壁部にそれぞれ取り付けてある係止爪とを備え、
前記係止爪は、
前記装着体の摺動に伴い前記案内壁部の傾斜面から該傾斜面に連なる平坦な内壁面に当接する当接面を備え、
前記当接面が前記傾斜面に当接する場合、前記係止爪は前記非突出位置まで変位しており、前記当接面が前記平坦な内壁面に当接する場合、前記係止爪は前記突出位置まで変位して記憶媒体の凹部に係止できるようにしてある請求項１に記載の記憶媒体装着装置。
【請求項４】
前記装着体は、前記案内壁部の外壁面に対向する弾性片を備え、
前記係止爪は、前記弾性片に係合する係合部を備え、
該係合部が前記弾性片に係合することで、前記係止爪を前記非突出位置の方向へ付勢するようにしてある請求項３に記載の記憶媒体装着装置。
【請求項５】
前記シャーシ部材は、前記装着体を摺動させる摺動レールを該装着体に装着される記憶媒体の両側面にそれぞれ対向するように設けており、
前記摺動レールは、
前記装着方向に沿って延在しており、一部に切欠がある案内壁部を備え、
前記装着体は、
両側の前記摺動レールの案内壁部にそれぞれ対向する両側の壁部と、
該両側の壁部にそれぞれ取り付けてあり、該両側の壁部で囲まれた空間へ突出する突出位置から非突出位置の範囲で変位可能な係止爪とを備え、
前記係止爪は、
前記非突出位置で前記案内壁部の切欠に係合して前記装着体の摺動をロックするロック係合部と、
摺動がロックされた装着体に装着される記憶媒体に押圧される被押圧部とを備え、
該被押圧部が記憶媒体に押圧された場合、前記係止爪が突出位置方向へ変位して前記ロック係合部のロックが解除されるようにしてある請求項１に記載の記録媒体装着装置。
【請求項６】
記憶媒体の装着方向に平行的な両側面には凹部が形成してあり、
前記ロック係合部のロックが解除された場合、前記係止爪は前記突出位置まで変位して記憶媒体の凹部に係止できるようにしてある請求項５に記載の記憶媒体装着装置。
【請求項７】
前記係止爪は、
爪頂部を形成するように、装着時の記憶媒体に対向する側を傾斜した傾斜縁部を備える請求項２乃至請求項６のいずれか１つに記載の記憶媒体装着装置。
【請求項８】
前記係止爪は、前記爪頂部を介して前記傾斜縁部に連なる円弧状縁部を備える請求項７に記載の記憶媒体装着装置。
【請求項９】
前記装着体の摺動範囲に係る記憶媒体を装着する側の摺動始端から摺動範囲中の途中点までの範囲で、前記装着体を前記摺動始端の方向へ付勢する装着体付勢手段を備える請求項１乃至請求項８のいずれか１つに記載の記憶媒体装着装置
【請求項１０】
前記装着体付勢手段は、引張りコイルバネであり、
該引張りコイルバネの一端部は、前記シャーシ部材に取り付けてあり、
前記引張りコイルバネの他端部は、前記シャーシ部材に回転可能に取り付けてある第１歯車の回転中心から距離を隔てたオフセット点に取り付けてあり、
前記第１歯車は、前記装着体に取り付けられたラックに第２歯車を介して噛合しており、
前記装着体が前記摺動始端から前記途中点までの範囲に位置する場合、前記引張りコイルバネにより前記第１歯車が前記装着体を前記摺動始端の方向へ付勢する向きに回転するようにしてある請求項９に記載の記憶媒体装着装置。
【請求項１１】
前記装着体が前記途中点に位置することを検出する検出手段と、
該検出手段により前記装着体が前記途中点に位置することが検出された場合、前記装着体をコネクタ接続が行われる摺動終端側へ摺動させる駆動を行う駆動手段とを備える請求項９又は請求項１０に記載の記憶媒体装着装置。
【請求項１２】
前記駆動手段が駆動を行って前記装着体が前記途中点より摺動終端側へ位置するようになった場合、前記装着体付勢手段は、前記装着体を摺動終端の方向へ付勢するようにしてある請求項１１に記載の記憶媒体装着装置。
【請求項１３】
前記装着体の記憶媒体を装着する空間を開閉する扉体が前記シャーシ部材に回動可能に取り付けてあり、
前記扉体に連結してある第１連結部材と、
該第１連結部材に連結してあり、前記シャーシ部材に回動可能に取り付けてある第２連結部材と、
前記装着体の摺動に連動するように前記シャーシ部材に取り付けてある連動部材とを備え、
前記第２連結部材は、孔と、該孔の周縁から孔内へ突出した山状カムとを備え、
前記連動部材は、前記孔内に挿入される従動ピンを備え、
前記装着体に装着される記憶媒体がコネクタ接続の状態から解除されるように前記装着体が摺動する場合、前記連動部材の移動により前記従動ピンが前記山状カムに沿って従動するようにしてあり、
前記従動ピンの前記山状カムに沿った従動に伴い、前記第２連結部材が回動して前記扉体を開方向へ回動させるようにしてある請求項１乃至請求項１２のいずれか１つに記載の記憶媒体装着装置。
【請求項１４】
前記装着体に対向配置してあり、記憶媒体の装着方向に延在して前記装着体に対する傾きを変更できるように回動する対向回動部材と、
該対向回動部材の前記コネクタ部の側に位置する一端が反対側の他端に比べて前記装着体に近付くように前記対向回動部材を傾ける付勢を行う付勢部材とを備え、
前記対向回動部材は、前記他端に設けてある記憶媒体押圧部を備え、
前記一端は、記憶媒体が前記コネクタ部へ接続するように前記装着体が摺動した位置で前記装着体又は記憶媒体に当接するようにしてあり、
前記記憶媒体押圧部は、前記一端が当接して前記対向回動部材の傾きが変更された状態で、前記装着体に装着される記憶媒体を押圧するようにしてある請求項１乃至請求項１３のいずれか１つに記載の記憶媒体装着装置。
【請求項１５】
記憶媒体は、装着方向に平行的な両側面に案内溝を形成しており、
前記装着体は、記憶媒体の両側面の案内溝に挿入されて記憶媒体の位置決めを行う突起を有する請求項１乃至請求項１４のいずれか１つに記載の記憶媒体装着装置。
【請求項１６】
前記請求項１乃至請求項１５のいずれか１つに記載の記憶媒体装着装置と、
該記憶媒体装着装置に装着される記憶媒体に前記コネクタ部を介してデータの読み出し及び／又は書き込みを行わせる手段と
を備えることを特徴とする電気機器。
【発明の詳細な説明】
【技術分野】
【０００１】
本発明は、カセット状の記憶媒体をスムーズに装着（ローディング）できるようにした記憶媒体装着装置、及び電気機器に関する。
【背景技術】
【０００２】
近時、記憶媒体としてｉＶＤＲ（information Versatile Disk for Removable usage）と称される記憶メディアが登場している。このｉＶＤＲは、幅方向に比べて厚みが薄いカセット形状のケース内部に、ハードディスク装置を収納した持ち運び可能なメディアであり、ｉＶＤＲコンソーシアムの策定規格に基づき複数のサイズが存在している。
【０００３】
ｉＶＤＲに対してデータの読み書きを行うｉＶＤＲ用の装置としては、ユーザが手動でｉＶＤＲを装着するものが存在する（非特許文献１参照）。また、エジェクト釦を設けてｉＶＤＲをスムーズに取り出せるようにした装置が下記の特許文献１に開示されており、さらに、ｉＶＤＲをオートローディングできるようにモータ駆動で移動するスライダーにｉＶＤＲを装着するようにした装置が下記の特許文献２で開示されている。
【特許文献１】特開２００３−２２８４４７号公報
【特許文献２】特開２００４−１６５０７１号公報
【非特許文献１】”ｉＶＤＲ規格  ＵＳＢ２．０／１．１対応アダプター”、[online]、平成１６年、株式会社アイ・オー・データ機器、[平成１７年９月１０日検索]、インターネット＜ＵＲＬ：http://www.iodata.jp/prod/storage/hdd/2004/usb2-ivdr＞
【発明の開示】
【発明が解決しようとする課題】
【０００４】
ｉＶＤＲをローディング（オートローディングも含む）する機構を設計する場合、磁気テープを用いた記憶媒体（カセットテープ、ビデオ用のカセットテープ等）のローディング機構を参照することが想定できる。しかし、カセットテープのローディング機構は、磁気ヘッドに対して所定の位置までカセットテープをローディングすればよいが、ｉＶＤＲはコネクタ接続されるものなので、カセットテープのローディング機構では要求されないような事項も考慮する必要がある。
【０００５】
例えば、ｉＶＤＲをスムーズにコネクタ接続するために、ｉＶＤＲを接続先のコネクタ部に対して適切に位置決めする必要がある。また、位置決めしたｉＶＤＲをコネクタ部まで精度良く移動させて所定の押圧力でコネクタ同士を接合させる必要がある。さらに、コネクタ同士の接合時には一定値の応力がコネクタ部にかかるので、コネクタ部の電気的な接続部（半田付け箇所）に負荷がかからないようする必要がある。さらにまた、上述したようなことを回避する機構を考慮すると装置自体が大型化する懸念がある。
【０００６】
本発明は、上述した事情に鑑みてなされたものであり、ｉＶＤＲをコネクタ接続する際に、装置側のコネクタ部にかかる負荷を緩和できるようにした記憶媒体装着装置及び電気機器を提供することを目的とする。
また、本発明は、ｉＶＤＲを適切に位置決めしてコネクタ接続を行う位置までスムーズに移動できるようにした記憶媒体装着装置及び電気機器を提供することを目的とする。
さらに、本発明は、ｉＶＤＲを支障無くオートローディングできるようにした記憶媒体装着装置及び電気機器を提供することを目的とする。
【課題を解決するための手段】
【０００７】
上記課題を解決するために本発明に係る記憶媒体装着装置は、コネクタ接続部を有する幅に比べて厚みが薄いケース状の記憶媒体が装着される装着体と、該装着体を記憶媒体の装着方向に沿って摺動可能に取り付けたシャーシ部材とを備える記憶媒体装着装置において、前記装着体の摺動終端側で該装着体に装着される記憶媒体へ接続できるように、前記シャーシ部材に弾性部材を介して取り付けてあるコネクタ部を備えることを特徴とする。
【０００８】
本発明にあっては、装置側のコネクタ部をシャーシ部材に対して弾性部材を介して取り付けているので、コネクタ接続時にコネクタ部へ応力が付加されると弾性部材が弾性変形する。そのため、コネクタ接続時の応力を弾性部材の弾性変形により逃がすことが可能になり、コネクタ部の電気的な接続に適用された半田付け部分にクラック、剥がれ等が生じることを防止でき、安定した装置作動性を維持できる。
【０００９】
本発明に係る記憶媒体装着装置は、記憶媒体の装着方向に平行的な両側面には凹部が形成してあり、前記装着体は、装着される記憶媒体の両側面にそれぞれ対向する両側の壁部と、該両側の壁部にそれぞれ取り付けてあり、該両側の壁部で囲まれた空間へ突出する突出位置から非突出位置の範囲で変位可能な係止爪と、該係止爪を前記突出位置の方向へ付勢する付勢手段とを備え、前記係止爪は、前記装着体に装着される記憶媒体の凹部に前記突出位置で係止できるようにしてあることを特徴とする。
【００１０】
本発明にあっては、突出位置と非突出位置の範囲で変位する係止爪を突出位置の方向へ付勢するので、装着体に記憶媒体を装着すれば、係止爪が記憶媒体の凹部に係止するようになる。このように係止爪が係止を行うと、装着体と記憶媒体は一体化された状態になり、記憶媒体が適切に位置決めされて移動可能になり、記憶媒体の誤装着も防止できる。さらに、記憶媒体の装着時に記憶媒体が鉛直下方になるように装置を傾けたとしても、記憶媒体は係止爪で係止されているため、記憶媒体が不用意に抜け落ちることもない。しかも係止爪は記憶媒体の両側面に対向する装着体の両側の壁部に取り付けられるので、装置の厚み方向の寸法が大きくなるのを防止でき、装置の小型化を図れる。
【００１１】
本発明に係る記憶媒体装着装置は、記憶媒体の装着方向に平行的な両側面には凹部が形成してあり、前記シャーシ部材は、前記装着体を摺動させる摺動レールを該装着体に装着される記憶媒体の両側面にそれぞれ対向するように設けており、前記摺動レールは、前記装着方向に沿って延在する案内壁部を備え、該案内壁部は、記憶媒体の側面に対向する面の一部に記憶媒体が装着される側へ壁厚が薄くなるように傾斜した傾斜面を形成しており、前記装着体は、両側の前記摺動レールの案内壁部にそれぞれ対向する両側の壁部と、該両側の壁部で囲まれた空間へ突出する突出位置から非突出位置の範囲で変位可能に前記両側の壁部にそれぞれ取り付けてある係止爪とを備え、前記係止爪は、前記装着体の摺動に伴い前記案内壁部の傾斜面から該傾斜面に連なる平坦な内壁面に当接する当接面を備え、前記当接面が前記傾斜面に当接する場合、前記係止爪は前記非突出位置まで変位しており、前記当接面が前記平坦な内壁面に当接する場合、前記係止爪は前記突出位置まで変位して記憶媒体の凹部に係止できるようにしてあることを特徴とする。
【００１２】
本発明にあっては、摺動レールの案内壁部に形成した傾斜面及び内壁面への係止爪の当接を装着体の摺動に合わせて切り替えるので、簡易な機構で記憶媒体を装着体に対して位置決めできるようになる。また、記憶媒体を装着した際には、係止爪は非突出位置であるため、抵抗無く記憶媒体を装着できる。さらに、装着体が摺動を開始すると係止爪は案内壁部の内壁面との当接により突出位置の姿勢を維持するため、一旦装着された記憶媒体が脱離することを確実に防止できる。
【００１３】
本発明に係る記憶媒体装着装置は、前記装着体は、前記案内壁部の外壁面に対向する弾性片を備え、前記係止爪は、前記弾性片に係合する係合部を備え、該係合部が前記弾性片に係合することで、前記係止爪を前記非突出位置の方向へ付勢するようにしてあることを特徴とする。
【００１４】
本発明にあっては、係止爪に設けた係合部が装着体に設けられた弾性体に係合して係止爪を非突出位置の方向へ付勢するので、装着体が摺動していないときは係止爪を非突出位置の状態にできる。そのため、係止爪の抵抗を受けることなくスムーズに記憶媒体を装着できる。また、装着体が摺動すると弾性片の弾性変形するため、係止爪が突出位置の状態になることを妨げることなく、板バネ的な弾性部材を用いた簡易な構成で係止爪の変位を制御できる。
【００１５】
本発明に係る記憶媒体装着装置は、前記シャーシ部材は、前記装着体を摺動させる摺動レールを該装着体に装着される記憶媒体の両側面にそれぞれ対向するように設けており、前記摺動レールは、前記装着方向に沿って延在しており、一部に切欠がある案内壁部を備え、前記装着体は、両側の前記摺動レールの案内壁部にそれぞれ対向する両側の壁部と、該両側の壁部にそれぞれ取り付けてあり、該両側の壁部で囲まれた空間へ突出する突出位置から非突出位置の範囲で変位可能な係止爪とを備え、前記係止爪は、前記非突出位置で前記案内壁部の切欠に係合して前記装着体の摺動をロックするロック係合部と、摺動がロックされた装着体に装着される記憶媒体に押圧される被押圧部とを備え、該被押圧部が記憶媒体に押圧された場合、前記係止爪が突出位置方向へ変位して前記ロック係合部のロックが解除されるようにしてあることを特徴とする。
【００１６】
本発明にあっては、係止爪に案内壁部の切欠に係合して装着体の摺動をロックするロック係合部を設けるので、記憶媒体を装着体に装着しない状態では装着体の摺動がロックされるようになり、不用意に装着体が摺動を開始して記憶媒体が誤装着されることを確実に防止できる。また、装着体に記憶媒体が装着されると、係止爪に設けた被押圧部が記憶媒体に押圧されて係止爪が回動するため、記憶媒体の装着に連動して係止爪が自動的に突出位置になり、それに伴い装着体の摺動のロックも解除される。よって、記憶媒体を装着することで装着体が摺動できる状態を作り出すことができ、記憶媒体を誤装着した場合はロック解除を行えないため装置が作動せず、記憶媒体の誤装着をユーザに伝えられる。
【００１７】
本発明に係る記憶媒体装着装置は、記憶媒体の装着方向に平行的な両側面には凹部が形成してあり、前記ロック係合部のロックが解除された場合、前記係止爪は前記突出位置まで変位して記憶媒体の凹部に係止できるようにしてあることを特徴とする。
【００１８】
本発明にあっては、ロック係合部のロックが解除された場合、係止爪が記憶媒体の凹部に係止するため、ロック解除後は記憶媒体を適正に装着体へ位置決めすることが可能となり、スムーズなコネクタ接合を実現できる。
【００１９】
本発明に係る記憶媒体装着装置は、前記係止爪は、爪頂部を形成するように、装着時の記憶媒体に対向する側を傾斜した傾斜縁部を備えることを特徴とする。
本発明にあっては、爪頂部を形成する傾斜縁部を装着時の記憶媒体に対向する側に設けるので、係止爪が記憶媒体の凹部に係止する際に生じる接触摩擦を低減して係止爪を係止できる。特に、記憶媒体の装着時では係止爪が突出位置になっているタイプでは、記憶媒体の装着側の角に傾斜縁部が接触するため、接触に伴う応力を係止爪の非突出位置へ変位する力へとスムーズに変換でき、記憶媒体の容易な装着に貢献できる。
【００２０】
本発明に係る記憶媒体装着装置は、前記係止爪は、前記爪頂部を介して前記傾斜縁部に連なる円弧状縁部を備えることを特徴とする。
本発明にあっては、爪頂部を形成する円弧状縁部を備えるので、記憶媒体を装着体から脱離するために記憶媒体の凹部に係止した係止爪を凹部から抜く際、係止爪は凹部内と円弧状縁部で線接触の状態で接触することなる。このように線接触の状態を確保することで、係止爪を凹部から抜くときの接触抵抗を低減でき、装着された記憶媒体の取出もスムーズに行える。
【００２１】
本発明に係る記憶媒体装着装置は、前記装着体の摺動範囲に係る記憶媒体を装着する側の摺動始端から摺動範囲中の途中点までの範囲で、前記装着体を前記摺動始端の方向へ付勢する装着体付勢手段を備えることを特徴とする。
【００２２】
本発明にあっては、ユーザが記憶媒体を装置に押し込んで装着体に装着しようとした場合、装着体が摺動始端から途中点までの範囲に位置すれば、装着体は摺動始端の方向へ押し戻される付勢が行われるので、記憶媒体の装着時に適度な装着負荷を得ることができ、ユーザが行う記憶媒体の押込み動作に対して良好な節度感を与えることができる。
【００２３】
本発明に係る記憶媒体装着装置は、前記装着体付勢手段は、引張りコイルバネであり、該引張りコイルバネの一端部は、前記シャーシ部材に取り付けてあり、前記引張りコイルバネの他端部は、前記シャーシ部材に回転可能に取り付けてある第１歯車の回転中心から距離を隔てたオフセット点に取り付けてあり、前記第１歯車は、前記装着体に取り付けられたラックに第２歯車を介して噛合しており、前記装着体が前記摺動始端から前記途中点までの範囲に位置する場合、前記引張りコイルバネにより前記第１歯車が前記装着体を前記摺動始端の方向へ付勢する向きに回転するようにしてあることを特徴とする。
【００２４】
本発明にあっては、引張りコイルバネの他端部を第１歯車のオフセット点に取り付けているので、引張りコイルバネ及び第１歯車で構成される機構は、丁度クランク機構のような形態になり、オフセット点が死点となる箇所の前後で１本の引張りコイルバネによる第１歯車の回転を付勢する方向を逆向きにできる。そのため、上述した機構に第２歯車及び装着体に取り付けたラックを組み合わせた簡易な構造で、摺動始端から途中点までの範囲で装着体を押し戻す方向に付勢することが可能になる。
【００２５】
本発明に係る記憶媒体装着装置は、前記装着体が前記途中点に位置することを検出する検出手段と、該検出手段により前記装着体が前記途中点に位置することが検出された場合、前記装着体をコネクタ接続が行われる摺動終端側へ摺動させる駆動を行う駆動手段とを備えることを特徴とする。
本発明にあっては、装着体が途中点に位置することを検出すると共に、途中点に位置することが検出された場合、装着体を摺動終端側へ摺動させる駆動を行うので、ユーザの記憶媒体の押込み動作に対する良好な節度感を維持した状態で、記憶媒体のオートローディングを実現できる。
【００２６】
本発明に係る記憶媒体装着装置は、前記駆動手段が駆動を行って前記装着体が前記途中点より摺動終端側へ位置するようになった場合、前記装着体付勢手段は、前記装着体を摺動終端の方向へ付勢するようにしてあることを特徴とする。
本発明にあっては、装着体の摺動が駆動された場合、装着体の付勢方向が摺動終端になるので、付勢力を装着体の摺動駆動を補助することに用いることができ、記憶媒体のコネクタ接続部とシャーシ部材に取り付けられたコネクタ部との接続をアシストできる。
【００２７】
本発明に係る記憶媒体装着装置は、前記装着体の記憶媒体を装着する空間を開閉する扉体が前記シャーシ部材に回動可能に取り付けてあり、前記扉体に連結してある第１連結部材と、該第１連結部材に連結してあり、前記シャーシ部材に回動可能に取り付けてある第２連結部材と、前記装着体の摺動に連動するように前記シャーシ部材に取り付けてある連動部材とを備え、前記第２連結部材は、孔と、該孔の周縁から孔内へ突出した山状カムとを備え、前記連動部材は、前記孔内に挿入される従動ピンを備え、前記装着体に装着される記憶媒体がコネクタ接続の状態から解除されるように前記装着体が摺動する場合、前記連動部材の移動により前記従動ピンが前記山状カムに沿って従動するようにしてあり、前記従動ピンの前記山状カムに沿った従動に伴い、前記第２連結部材が回動して前記扉体を開方向へ回動させるようにしてあることを特徴とする。
【００２８】
本発明にあっては、第１連結部材を介して扉体に連結する第２連結部材に山状カムを設けた孔を形成すると共に、孔内に突出する従動ピンを備えた連動部材をシャーシ部材に装着体に連動させて設けるので、装着体に装着された記憶媒体のコネクタ接続を解除するように装着体が摺動すると、それに連動して連動部材の従動ピンが移動し、従動ピンに沿う山状カムが押圧されて第２連結部材が回動して扉体が開方向へ回動するようになる。このような構成にすることで、記憶媒体を受け入れる空間を保護するように開閉可能な扉体を設けても、コネクタ接続された記憶媒体を取り外す際には扉体が開方向に回動するため、扉体が邪魔になることなく記憶媒体をスムーズに取り出すことができる。なお、扉体の開方向の回動に要する時間、及びその後に閉方向に回動する時間は、設計時に山状カムのカム角度を適宜設定することで容易に調整できる。
【００２９】
本発明に係る記憶媒体装着装置は、前記装着体に対向配置してあり、記憶媒体の装着方向に延在して前記装着体に対する傾きを変更できるように回動する対向回動部材と、該対向回動部材の前記コネクタ部の側に位置する一端が反対側の他端に比べて前記装着体に近付くように前記対向回動部材を傾ける付勢を行う付勢部材とを備え、前記対向回動部材は、前記他端に設けてある記憶媒体押圧部を備え、前記一端は、記憶媒体が前記コネクタ部へ接続するように前記装着体が摺動した位置で前記装着体又は記憶媒体に当接するようにしてあり、前記記憶媒体押圧部は、前記一端が当接して前記対向回動部材の傾きが変更された状態で、前記装着体に装着される記憶媒体を押圧するようにしてあることを特徴とする。
【００３０】
本発明にあっては、記憶媒体の装着状況に応じて傾きを変更する対向回動部材を装着体に対向配置し、記憶媒体がコネクタ接続される状況で対応部材の記憶媒体押圧部で記憶媒体を押圧するので、記憶媒体のコネクタ接続に伴う浮き上がりを抑制して、コネクタ接続された記憶媒体の姿勢を安定させることができる。即ち、記憶媒体がコネクタ接続されると、コネクタ接続された一方側端部が固定された状態となり、反対側端部が浮き上がり気味になる。このように浮き上がった状態を放置すると、記憶媒体自体が振動する環境下では、振動が増長されることになるため、上述したように反対側端部を対向回動部材の記憶媒体押圧部で装着体へ押圧して浮き上がりを抑制し、記憶媒体のデータアクセスに対して支障が生じることを防止できる。なお、記憶媒体を押圧する箇所は、装着体及び周囲の構造により適宜設定してもよく、可能であれば装着状態で下面となる箇所、側面等を押圧する構成にしてもよい。
【００３１】
本発明に係る記憶媒体装着装置は、記憶媒体は、装着方向に平行的な両側面に案内溝を形成しており、前記装着体は、記憶媒体の両側面の案内溝に挿入されて記憶媒体の位置決めを行う突起を有することを特徴とする。
【００３２】
本発明にあっては、装着体に突起を設けたので、装着体に装着される記憶媒体を突起で案内し、記憶媒体の容易な装着を実現できると共に、装着された記憶媒体を厚み方向でも確実に位置決めすることができ、コネクタ接続の精度を一層高めることができる。なお、突起は、記憶媒体の案内溝に沿った方向に延在させて安定した案内及び位置決めを行うようにすることが好ましく、さらに、記憶媒体の装着側に対応する端部は傾斜させて突起が案内溝に入りやすくすることが好適である。
【００３３】
本発明に係る電気機器は、前記記憶媒体装着装置と、この記憶媒体装着装置に装着される記憶媒体に前記コネクタ部を介してデータの読み出し及び／又は書き込みを行わせる手段とを備えることを特徴とする。
本発明にあっては、上述した記憶媒体装着装置、及び装着された記憶媒体とのアクセスを行わせる手段を備えるので、記憶媒体の良好なローディングを行って、記憶媒体の利用性を高めることができる。なお、電気機器の種類としては、データの記憶及び再生を行う機器全般が該当し、具体的には放送番組の録画再生装置、音楽又は画像の記録再生装置、画像の再生記録を行う装置、テレビジョン装置等が挙げられる。
【発明の効果】
【００３４】
本発明にあっては、装置側のコネクタ部をシャーシ部材に対して弾性部材を介して取り付けているので、コネクタ接続時の応力を弾性部材の弾性変形により逃がすことができ、コネクタ部に係る半田付け箇所にクラック、剥がれ等が生じることを防止できる。
【００３５】
本発明にあっては、突出位置と非突出位置の範囲で変位し突出位置の方向へ付勢される係止爪を備えるので、装着体に装着された記憶媒体を係止爪で係止して装着体を確実に位置決め固定でき、高精度のコネクタ接続を実現できる。
【００３６】
本発明にあっては、摺動レールの案内壁部に形成した傾斜面及び内壁面への係止爪の当接を装着体の摺動に合わせて切り替えて、係止爪を突出位置と非突出位置の間で変位させるので、簡易な機構で記憶媒体を装着体に対して位置決めできる。
本発明にあっては、係止爪に設けた係合部が装着体に設けられた弾性体に係合して係止爪を非突出位置の方向へ付勢するので、装着体が摺動していないときは係止爪を非突出位置の状態にして、係止爪による接触抵抗を無くしてスムーズに記憶媒体を装着体に装着できる。
【００３７】
本発明にあっては、係止爪に案内壁部の切欠に係合して装着体の摺動をロックするロック係合部を設けるので、記憶媒体を装着体に装着しない状態でローディング動作が開始することを防止でき、また、装着体に記憶媒体が装着されると、自動的にロックが解除されるため、記憶媒体の装着後は通常通りのローディング動作を行える。
本発明にあっては、ロック係合部のロックが解除された場合、係止爪が記憶媒体の凹部に係止して記憶媒体を適正に装着体へ位置決めできる。
【００３８】
本発明にあっては、爪頂部を形成する傾斜縁部を装着時の記憶媒体に対向する側に設けるので、係止爪が記憶媒体の凹部に係止する際に生じる接触摩擦を低減でき、係止爪の係止をスムーズに行える。
本発明にあっては、爪頂部を形成する円弧状縁部を備えるので、記憶媒体を装着体から脱離するために記憶媒体の凹部に係止した係止爪を凹部から抜く際、凹部との接触抵抗を低減でき、記憶媒体の脱離を容易に行える。
【００３９】
本発明にあっては、ユーザが記憶媒体を装置に押し込んで装着体に装着しようとした場合、装着体が途中点までに位置すれば、装着体は摺動始端の方向へ押し戻される付勢が行われるので、記憶媒体の押込み動作時に良好な作動感をユーザに与えられる。
本発明にあっては、引張りコイルバネの他端部を第１歯車のオフセット点に取り付けてクランク機構のような形態を構成するので、簡易な構造で、摺動始端から途中点までの範囲で装着体を押し戻す方向に付勢できる。
【００４０】
本発明にあっては、装着体が途中点に位置することを検出すると共に、途中点に位置することが検出された場合、装着体を摺動終端側へ摺動させる駆動を行うので、コネクタ接続を行う記憶媒体の良好なオートローディングを実現できる。
本発明にあっては、装着体の摺動が駆動された場合、装着体の付勢方向が摺動終端になるので、付勢力を装着体の摺動駆動の補助に用いることができ、コネクタ接続を付勢力で補助できる。
【００４１】
本発明にあっては、第１連結部材を介して扉体に連結する第２連結部材の孔内に連動部材から突出する従動ピンを配置して、装着体に連動する連動部材の移動により従動ピンで孔内の山状カムを押圧するので、装着体の摺動に連動して扉体を開閉でき、記憶媒体の取出時に扉体が邪魔になるのを防止できる。
【００４２】
本発明にあっては、記憶媒体の装着状況に応じて傾きを変更する対向回動部材を装着体に対向配置し、記憶媒体がコネクタ接続される状況で対応部材の記憶媒体押圧部で記憶媒体を押圧するので、記憶媒体のコネクタ接続に伴う浮き上がりを抑制して、振動が増長される状況を防止し、記憶媒体の安定した作動状況を確保できる。
【００４３】
本発明にあっては、装着体に突起を設けたので、装着体に装着される記憶媒体を突起で案内し、記憶媒体の容易な装着を実現できると共に、装着された記憶媒体を厚み方向でも確実に位置決めして、コネクタ接続の精度を一層高めることができる。
【００４４】
本発明にあっては、上述した記憶媒体装着装置、及び装着された記憶媒体とのアクセスを行わせる手段を備えるので、記憶媒体の良好なローディングを行って、記憶媒体の利用性を高めることができる。
【発明を実施するための最良の形態】
【００４５】
図１は、本発明の実施形態に係る電気機器の一例である録画再生装置１を示す。本実施形態の録画再生装置１は、幅に比べて厚みが薄いケース状（カセット形状）の記憶媒体であるｉＶＤＲ５を装着する装着ユニット１０（記憶媒体装着装置に該当）を筐体２に内蔵し、フロントパネル２ａには、ｉＶＤＲ５を装着する開口３ａを設けた枠部３を設けている。なお、開口３ａは通常の状態では、装着ユニット１０に設けられたフラップ１１（扉体に相当）により閉鎖されており、ｉＶＤＲ５を装着する空間を保護している。
【００４６】
録画再生装置１は、内蔵した装着ユニット１０と電気的な接続を確立しており、装着ユニット１０へ給電を行うと共に、装着ユニット１０へ装着されたｉＶＤＲ５へアクセスしてデータの読み出しと書き込みの両方を行うインタフェース部（図示せず）を備える。このインタフェース部により録画再生装置１は、図示しないチューナ部又は外部接続端子から取得した映像データをｉＶＤＲ５へ録画すると共に、ｉＶＤＲ５に録画した映像データを再生してディスプレイ装置（図示せず）で再生内容を表示できるようにしている。
【００４７】
なお、本実施形態では、装着ユニット１０を録画再生装置１に内蔵した例で説明するが、装着ユニット１０は他の種類の電気機器（画像表示を行うテレビジョン装置、音楽再生を行う装置等）にも勿論適用可能であり、適用される装置の種類によって、上述したインタフェース部は、データの読み出しのみ、又はデータの書き込みのみを行う構成にしてもよい。
【００４８】
本実施形態で使用対象になるｉＶＤＲ５（図１、図２参照）は、１．８インチサイズのものであり、コネクタ接続される側の装着面５ｄにはコネクタ開口５ｅを設けて、その内部にコネクタ接続部５ｆを設けている（主に図２参照）。また、ｉＶＤＲ５は、装着方向に平行的な両方の側面５ａには、装着面５ｄから開口する案内溝５ｃを、側面５ａの長手方向に沿って延在し、両方の側面５ａの上面に連なる箇所には凹部５ｂを形成している。
【００４９】
図３〜図６は、録画再生装置１に内蔵された装着ユニット１０の外観を示し、図７は装着ユニット１の分解状態を示し、図８〜図２５等は装着ユニット１０を分解した箇所を部分的に示したものである。
【００５０】
図７に示すように、装着ユニット１０は、Ｕ字状の板部材を屈折して形成したメインシャーシ１２（シャーシ部材に相当）の両側の側壁１２ｂ、１２ｃに沿って右側のガイドレール２４及び左側のガイドレール２５（摺動レールに相当）を取り付けると共に、両ガイドレール２４、２５に沿って摺動可能にスライダー５０（装着体に相当）を取り付けている。なお、両ガイドレール２４、２５は、スライダー５０にｉＶＤＲ５が装着されると、ｉＶＤＲ５の両方の側面５ａに対向した位置関係になる。
【００５１】
また、両ガイドレール２４、２５は左右対称の形状であり、代表して一方のガイドレール２５で形状等を図２０（ａ）を参照して説明すると、ガイドレール２５は、ｉＶＤＲ５の装着方向へ延在する案内壁部２５ａを形成しており、案内壁部２５ａは上端が突設している。また、案内壁部２５ａは一部に切欠部２５ｃを設けており、切欠部２５ｃに係る端部にはｉＶＤＲ５の装着される側へ案内壁部２５の壁厚が薄くなるように傾斜した傾斜面２５ｄをｉＶＤＲ５の側面５ａに対向する面に形成している。なお、傾斜面２５ｄに連なる内壁面２５ｂは平坦にしている。さらに、ガイドレール２５は、切欠部２５ｃの内面側にガイド壁２５ｅを形成し、このガイド壁２５ｅには切欠部２５ｃの端部には、傾斜面２５ｄに対向するように傾斜したテーパ面２５ｆを形成している（図２１（ｂ）参照）。
【００５２】
メインシャーシ１２は、図３、図４（ａ）〜（ｃ）に示すように、ｉＶＤＲ５を装着する側の両側壁１２ｂ、１２ｃの間の空間には長板状のフラップ１１（扉体に相当）を開閉可能に取り付けており、また、左側の側壁１２ｂには円弧状溝１２ｄを設け、この円弧状溝１２ｄを介して「へ」の字状のフラップオープナー２９（第１連結部材に相当）をフラップ１１に連結している（図４（ａ）参照）。なお、フラップオープナー２９は、左側の側壁１２ｂの外面に屈曲した箇所が回動中心となるように回動可能に取り付けられ、フラップ１１の開閉に連動して回動するようになっている。
【００５３】
また、メインシャーシ１２の底板１２ａにおけるｉＶＤＲ５の装着側で左側の側壁１２ｂの近傍箇所には、図１３〜図１６等に示すフラップ操作レバー２７（第２連結部材に相当）を回動可能に取り付けている。
【００５４】
フラップ操作レバー２７は、所定の厚みを有する長板状のブロック部材であり、底板１２ａの中央側になる一端部を回動中心２７ｃにする一方、他端部には凹部２７ｆを形成している。さらに、フラップ操作レバー２７は、一端部の回動中心２７ｃと他端部の凹部２７ｆとの間に矩形状の孔２７ａを形成すると共に、孔２７ａの周縁から孔内へ突出する山状カム２７ｂを設けている。なお、フラップ操作レバー２７は、回動中心２７ｃ側の端部に突出片２７ｄを突設しており、この突出片２７ｄにメインシャーシ１２の底板１２ａに取り付けた付勢バネ２８の一端を係止して、フラップ操作レバー２７がフラップ１１と平行的な状態（図１３（ａ）（ｂ）及び図１４（ａ）に示す状態）になるように付勢している。
【００５５】
フラップ操作レバー２７の凹部２７ｆには、フラップオープナー２９から突設するピン２９ａを遊嵌させて、フラップオープナー２９とフラップ操作レバー２７を連結している。このように連結することで、フラップ１１の開閉とフラップ操作レバー２７の回動がフラップオープナー２９により連動することになり、フラップ１１が閉じている場合、図１３（ａ）（ｂ）及び図１４（ａ）に示すように、フラップ操作レバー２７はフラップ１１と平行的な状態になり、フラップ１１が開いた場合、図１４（ｂ）、図１５、図１６に示すようにフラップ操作レバー２７は傾いた状態に回動する。
【００５６】
また、メインシャーシ１２は、フラップ操作レバー２７を覆うように移動プレート２６（連動部材に相当）をｉＶＤＲ５の装着方向に対して直交的に移動可能に取り付けており（図７、図８、及び図１３〜図１６参照）、移動プレート２６の移動はスライダー５０の摺動に連動させている。図１３（ａ）（ｂ）に基づいて移動プレート２６を説明すると、移動プレート２６は矩形から図中の左上を切り欠き、右下の角にスイッチ押圧部２６ｅを設け、上中央部及び右下部には平行的に第１スロット２６ａ及び第２スロット２６ｃを開口している。また、右上の角及び左下の角にはメインシャーシ１２の底板１２ａに向けて第１従動ピン２６ｂ及び第２従動ピン２６ｄをそれぞれ突設している。
【００５７】
移動プレート２６の第１スロット２６ａには、メインシャーシ１２の底板１２ａに回転可能に取り付けたメインギア１８の回転軸１８ａが嵌め込まれ、第２スロット２６ａには底板１２ａに設けられたピンが嵌め込まれ、移動プレート２６の移動を案内する。また、移動プレート２６の第１従動ピン２６ｂは、メインギア１８の外周側の第１カム溝１８ｄに挿入され、第２従動ピン２６ｄは、フラップ操作レバー２７の孔２７ａの内部へ挿入されている。
【００５８】
さらに、図１３（ａ）（ｂ）に示すように、移動プレート２６のスイッチ押圧部２６ｃは、底板１２ａに取り付けられたスイッチ基板３２上の第１スイッチ３３及び第２スイッチ３４を押圧するようになっている。具体的には、図１３（ａ）に示すように、移動プレート２６が移動範囲中の左端に位置する場合、スイッチ押圧部２６ｃは、第１スイッチ３３のスイッチ部３３ａを押圧し、移動プレート２６が右方向へ移動して図１３（ｂ）に示すように右端に位置するようになった場合、スイッチ押圧部２６ｃは、第２スイッチ３４のスイッチ部３４ａを押圧する。なお、移動プレート２６が左端に位置する場合、スライダー５０は摺動始端に位置し、移動プレート２６が右端に位置する場合、スライダー５０は摺動終端に位置する。
【００５９】
なお、底板１２ａに設けられたスイッチ基板３２は、図７に示すように第１スイッチ３３及び第２スイッチ３４以外に、第３スイッチ３５、第４スイッチ３６、及びＬＥＤ３７を実装している。第１スイッチ３３はスライダー５０が摺動範囲中においてｉＶＤＲ５を装着する摺動始端に位置する場合オンになり、第１スイッチ３３がオンからオフに切り替わると、スライダー５０が摺動始端から移動して摺動範囲中の途中点に位置することを検出できる。第２スイッチ３４はスライダー５０が摺動終端に位置することの検出用である。また、第３スイッチ３５は、図１に示すフロントパネル２ａの枠部３に設けられたエジェクト釦１０ａの押圧操作の検出用であり、第３スイッチ３６はｉＶＤＲ５が完全にスライダー５０に装着されたことを検出するためのものである（図１２（ａ）（ｂ）参照）。
【００６０】
また、メインギア１８は、外周ギア部１８ｃを形成すると共に、第１カム溝１８ｄの内側に第２カム溝１８ｅを形成している。第１カム溝１８ｄ及び第２カム溝１８ｅは、共に略一周するような円弧形状になっている（図１３（ａ）（ｂ）参照）。
【００６１】
図９、図１０、図１６等に示すように、メインギア１８と底板１２ａの間には扇状の復動レバー１９を揺動可能に底板１２ａに取り付けている。復動レバー１９は、扇状の中心側を揺動中心１９ｄにしており、メインギア１８の回転軸１８ａとの干渉を避ける円弧溝１９ｅ、及び移動プレート２６の案内用のピンを避ける切欠１９ｃを形成すると共に、円弧状の外周にはギア部１９ａを形成している（図９、１０参照）。また、復動レバー１９はメインギア１８の第２カム溝１８ｅ内に挿入されるガイドピン１９ｆを突設している（図１５、図２３（ａ）（ｂ）参照）。
【００６２】
図９及び図１０等に示すように、復動レバー１９のギア部１９ａに噛合するカウンターギア２１（第２歯車に該当）がメインシャーシ１２の底板１２ａに回転可能に取り付けてあり、さらに、このカウンターギア２１に噛合する保持ギア３８（第１歯車に相当）が底板１２ａに回転可能に取り付けてある。なお、カウンターギア２１には共回りするスライダー駆動ギア３９が固定される（図１０参照）。
【００６３】
また、図２３（ａ）（ｂ）等に示すように、保持ギア３８には保持レバー２２を介して引張りコイルバネ２３が取り付けられている。詳しくは、保持レバー２２の一端は、保持ギア３８の回転中心３８ａから距離を隔てたオフセット点３８ｂで回動可能に取り付けられ、保持レバー２２の他端に引張りコイルバネ２３の一方の端が係止されている。なお、引張りコイルバネ２３の反対側の端はメインシャーシ１２の底板１２ａに係止されている。よって、引張りコイルバネ２３と保持ギア３８はクランク機構的な構成になると共に、図２３（ａ）に示す状態では、保持ギア３８は時計回り方向へ引張りコイルバネ２３で付勢され、図２４に示す状態では、保持ギア３８は反時計回り方向へ付勢されるようになり、一本の引張りコイルバネ２３で保持ギア３８の付勢方向を逆転できるようにしている。
【００６４】
そして、図８及び図９に示すように、メインギア１８を駆動するために、メインシャーシ１２の底板１２ａには、モータ１３、ウォームギア１５、ウォームホイール１６、及び中継ギア１７を設けている。モータ１３の駆動力の伝達は、モータ１３のモータ軸に取り付けられたモータギア１４がウォームギア１５の端部に設けられた端部ギア１５ａに噛合し、モータ軸の回転がウォームギア１５に伝達されてウォームギア１５が回転する。ウォームギア１５の回転は、ウォームホイール１６に伝達されると共に、ウォームホイール１６に設けられた駆動ギア１６ｂが中継ギア１７に噛合して、中継ギア１７が回転する。中継ギア１７は、メインギア１８の外周ギア部１８ｃに噛合するので、中継ギア１７の回転がメインギア１８に伝達されメインギア１８を回転させる。
【００６５】
また、図４〜図６等に示すように、メインシャーシ１２の底板１２ａ上には、コネクタ基板３０を取り付けている。コネクタ基板３０は、基板上にｉＶＤＲ５のコネクタ接続部５ｆに接続されるコネクタ部３１を実装すると共に、図１の録画再生装置１の筐体２内に配置されるインタフェース部との接続用のコネクタ及びモータ１３の駆動制御を行うチップ、及びその他のｉＣ等を実装している。
【００６６】
図２５（ａ）（ｂ）に示すように、コネクタ基板３０は、底板１２ａに対してフローティング構造で取り付けている。即ちコネクタ基板３０の下面に屈折させたアングル４９をネジ４６で固定すると共に、アングル４９に弾性部材である筒状のゴムブッシュ４８を取り付け、ゴムブッシュ４８の内部にビス４７を挿通して底板１２ａに螺合固定する。このようにすることで、コネクタ接続時及び接続離脱時にコネクタ部３１へ加えられる負荷は、ゴムブッシュ４８が変形して逃がすことが可能となり、コネクタ部３１の電気的な接続に関連する半田付けの箇所にクラック、剥がれ等が生じるのを防止している。なお、ゴムブッシュ４８は他の材質で形成された弾性部材（弾性を有する合成樹脂等）を用いることも可能である。
【００６７】
一方、上述した構成のメインシャーシ１２側へ摺動可能に取り付けられるスライダー５０は、図７及び図１１等に示すように、断面が略Ｕ字状のスライダーシャーシ５１に天板６０を取り付けた構造であり、装着されるｉＶＤＲ５の両方の側面５ａに対向するスライダーシャーシ５１の両側の壁部５３、５４の外面側にガイドレール２４、２５に摺動する凹状のスライド部６２、６４を取り付けている。スライダー５０は、スライダーシャーシ５１と天板６０との間に形成される空間内にｉＶＤＲ５を装着するようにしている。
【００６８】
スライダーシャーシ５１は、装着されるｉＶＤＲ５の装着面５ｄを受け止める保持片５２ａ、５２ｂを底板部５２の縁から突設している。底板部５２の両側に立設した壁部５３、５４には、上端に外方へ屈折した折り曲げ部５３ａ、５４ａを設け、各折り曲げ部５３ａ、５３ｂには係止爪７０、８０を回動可能に取り付けている。さらに、両側の壁部５３、５４の上端の両側には内方へ屈折した天板支持部５５、５６を形成している。なお、スライダーシャーシ５１の底板部５２の裏面５２ａにはラック５８を取り付けており、このラック５８は、スライダー駆動ギア３９に噛合させて、スライダー駆動ギア３９の回転によりスライダー５０の摺動を駆動できるようにしている（図１０、図２３、図２４等参照）。
【００６９】
また、スライダーシャーシ５１の壁部５３、５４に取り付けられるスライド部６２、６４は、外面をガイドレール２４、２５の形状に沿うように凹面６２ａ、６４ａにしており、内面６２ｂ、６４ｂには、壁部５３、５４の切欠を通じてｉＶＤＲ５が装着される空間へ突出するようにガイド突起６３、６５を突設している。ガイド突起６３、６５は、ｉＶＤＲ５の装着方向に延出する角柱状の突起であり、装着される側の端部に傾斜した案内面６５ａを形成している（一方のガイド突起６３の案内面は図１１で図示せず）。
【００７０】
このようなガイド突起６３、６５は、スライダー５にｉＶＤＲ５が装着されると、ｉＶＤＲ５の両方の側面５ａに形成される案内溝５ｃに挿入され、ｉＶＤＲ５の装着を適正な方向へ案内すると共に、装着されたｉＶＤＲ５の厚み方向の位置決めを行い、コネクタ接続に要求される精度を確保するようにしている。なお、ガイド突起６３、６５が案内溝５ｃに挿入される際は、傾斜した案内面６５ａにより抵抗なく嵌め合わされる。
【００７１】
さらに、スライダーシャーシ５１の壁部５３、５４に取り付けられる天板６０は、両側の端部６０ａ、６０ｂに壁部５３、５４の方へ屈曲させた屈曲部６０ｃ、６０ｄを設けており、この屈曲部６０ｃ、６０ｄに係止爪７０、８０の付勢手段であるスプリング５９の一端を取り付けている。スプリング５９は、他端を係止爪７０、８０に取り付けて係止爪７０、８０がｉＶＤＲ５の装着される空間（両側の壁部５３、５４で囲まれた箇所）へ突出するように付勢している。
【００７２】
係止爪７０、８０は、左右対称の形状であると共に、両者は同様に変位して回動するため、一方の係止爪７０で代表して説明する。図１７（ｂ）、図１９（ｂ）、図２１（ａ）（ｂ）及び図２２等に示すように、係止爪７０は爪部７１に軸部７３を結合すると共に、結合箇所付近から円弧状の突出片７２を設けた形状にしている。なお、軸部７３の突出端が壁部５３の折り曲げ部５３ａに回動中心５３ｂに回動可能に取り付けられ、係止爪７０は、ｉＶＤＲ５が装着される空間へ突出する突出位置から突出しない非突出位置の範囲で変位して回動する。また、突出片７２の端部に突起７５が突設され、この突起７５にスプリング５９の他端が係止されている。
【００７３】
図１９（ｂ）等に示すように、爪部７１は、爪頂部を形成するように傾斜縁部７１ａ及び円弧状縁部７１ｂを有する。傾斜縁部７１ａは、図１７（ａ）（ｂ）に示すように、スライダー５０へ装着が開始されるｉＶＤＲ５の装着面５ｄに対向する側に設けられており、このように傾斜縁部７１ａを設けることで、爪部７１がｉＶＤＲ５に当接した場合に抵抗が大きくなるのを防止すると共に、当接力を係止爪７０が非突出位置の方向へ回動させる力へ効率良く変換できるようにしている。
【００７４】
また、爪頂部を介して傾斜縁部７１ａに連続する円弧状縁部７１ｂは、図１９（ａ）（ｂ）に示すように、係止爪７０が突出位置でｉＶＤＲ５の凹部５ｂに収まって係止した場合、凹部５ｂの内面の角と線接触的に接触するようになる。この状態からｉＶＤＲ５をスライダー５より脱離させる際、爪部７１が円弧状縁部７１ｂで線接触的に接触するため、接触抵抗が大きくならず、凹部５ｂの内面の角に押されて非突出位置へ係止爪７０が回動し、ｉＶＤＲ５の脱離をスムーズに行える。
【００７５】
なお、係止爪７０は、スライダー５０が摺動始端に位置する場合は、図２２に示すような突出姿勢になる。即ち、係止爪７０は、爪部７１の下面から半円柱状の案内突起７４を突設しており、図２０（ａ）に示すガイドレール２５に設けた上方に連続して突出する案内壁部２５ａが欠けた切欠部２５ｃに爪部７１が位置する。このとき、ガイドレール２５の切欠部２５ｃに設けられたガイド壁２５ｅの外面に案内突起７４は位置する。
【００７６】
図２２に示す状態からスライダー５０が摺動終端側へ摺動を開始すると、係止爪７０とガイドレール２５との位置関係は、図２０（ｂ）に示す状態から図２０（ｃ）に示す状態へ遷移し、案内壁部２５ａの先端の傾斜面２５ｄから内壁面２５ｂに沿って係止爪７０が移動することになる。また、装着されたｉＶＤＲ５を取り出す場合は、上記とは逆に図２０（ｃ）に示す状態から図２０（ｂ）の状態を経て、図２２に示す状態へ遷移する。図２２に示す状態になる場合、爪部７１の案内突起７４が傾斜したテーパ面２５ｆに案内されてガイド壁２５ｅの外面に位置するようになって、係止爪７０が非突出位置の方向へ傾かせて、爪部７１がｉＶＤＲ５の凹部５ｂから抜けやすくしている。
【００７７】
なお、装着ユニット１０のｉＶＤＲ５のオートローディングに係る制御処理を行うチップ（コネクタ基板３０に実装）は、各スイッチ３３〜３６の検出状況（オン・オフ状況）に基づきモータ１３の駆動制御を行う。具体的には、チップは第４スイッチ３６が押された状態（オン）のときで、第１スイッチ３３のスイッチ部３３ａが押されている状態（オン）から押されていない状態（オフ）になると、スライダー５０が摺動終端側へ移動するようにモータ１３を駆動する。また、チップはカウンタ機能及びタイマー機能を有しており、モータ１３の駆動に応じて適宜カウントする数の設定、及び計時等を行う。
【００７８】
また、第２スイッチ３４のスイッチ部３４ａが押されていない状態（オフ）から押されている状態（オン）になると、所定時間後にモータ１３を停止する制御をチップが行う。さらに、第３スイッチ３５が押されると（オンにされると）、ｉＶＤＲ５にコネクタ部３１を通じてアクセスされていないことを検知した上で、スライダー５０を摺動始端側へ移動させるように、モータ１３の駆動制御を行い、そのあとは、第１スイッチ３３がオフからオンへ切り替わると、モータの駆動を停止する制御を行う。
【００７９】
次に、図３４〜図３６に示すフローチャート及び図１、図１２、図１３等に基づいて装着ユニット１０のｉＶＤＲ５の装着（ローディング）及び取り出し（アンローディング）について説明する。
【００８０】
先ず、図３４の第１フローチャートに示すように、ユーザはｉＶＤＲ（カセット）５を開口３ａに挿入し（図１参照）、摺動始端に位置するスライダー５０に装着することになる（Ｓ１）。この際、ｉＶＤＲ５を挿入してフラップ１１を開くと、図１４（ｂ）に示すように連動してフラップ操作レバー２７が回動すると共に、図１７〜図１９へと示すように係止爪７０、８０が一旦、非突出位置の方へ回動してから、突出位置の方へ戻り、係止爪７０、８０の爪部７１、８１がｉＶＤＲ５の凹部５ｂに係止しｉＶＤＲ５をスライダー５０の内部に位置決め固定する。なお、この状態では、スライダー５０のガイド突起６３、６５が、ｉＶＤＲ５の側面５ａの案内溝５ｃに挿入されて、ｉＶＤＲ５の厚み方向の位置決めも行っている。
【００８１】
上述した状態で、チップは第１スイッチ３３及び第４スイッチ３６がオンからオフになったかを判断しており（Ｓ２）、オフにならないときは（Ｓ２：ＮＯ）は処理待ちになる。また、挿入したｉＶＤＲ５は端部が開口３ａから出ているので、ユーザが更にｉＶＤＲ５を装置内部へ押し込もうとすると、スライダー５０が摺動始端から摺動範囲の途中点までの範囲に位置するようになり、図２３（ａ）に示すように、引張りコイルバネ２３の付勢によりスライダー５０が摺動始端へ戻るように付勢されるため、ユーザは、押込み操作に対して適度な節度感及び抵抗感を感じることができる。
【００８２】
引張りコイルバネ２３の付勢に抗してユーザが押し込むと、スライダー５０が摺動終点側へ移動して、第４スイッチ３６のスイッチ部３６ａがスライダー５０のスライド部６４の内面６４ｄによる押圧から解放されて第４スイッチ３６がオフになる（図１２（ａ）（ｂ）参照）。また、図１３（ａ）（ｂ）に示すように、第１スイッチ３３のスイッチ部３３ａが移動プレート２６の押圧から解放されて第１スイッチ３３もオンからオフになる。
【００８３】
このようになると、第１フローチャートに示すように、チップは第１スイッチ３３及び第４スイッチ３６がオフになったと判断し（Ｓ２：ＹＥＳ）、モータ１３をスライダー５０が摺動終端側へ移動するように駆動し（Ｓ３）、内部のカウンタに「６０」と云う値を設定する（Ｓ４）。なお、モータ１３の駆動によりメインギア１８は図１３（ａ）において反時計回りに回転し、復動レバー１９は図２３（ａ）の状態から図２３（ｂ）の状態を経て図２４の状態へ揺動し、この図２４の状態では引張りコイルバネ２３による付勢方向も逆転する。
【００８４】
また、制御処理では、第１フローチャートに示すように、チップは第２スイッチ３４がオフからオンに切り替わったかを判断する（Ｓ５）。第２スイッチ３４がオンに切り替わらない場合（Ｓ５：ＮＯ）、チップはタイマー機能を用いて５０ｍｓをカウントし（Ｓ６）、設定したカウンタの値から「１」を減らす処理を行い（Ｓ７）、カウンタの値が「０」になったかを判断する（Ｓ８）。カウンタの値が「０」になっていない場合（Ｓ８：ＮＯ）、第２スイッチ３４のオンの判断段階へ戻り（Ｓ５）、第２スイッチ３４がオンに切り替わらなければ、カウンタの値が「０」になるまでＳ５〜Ｓ８の処理を繰り返す。なお、カウンタの値が「０」になると（Ｓ８：ＹＥＳ）、チップはエラー処理１を行う。
【００８５】
一方、モータ１３の駆動により図１３（ｂ）に示すように移動プレート２６が移動し、移動プレート２６により第２スイッチ３４のスイッチ部３４ａが押圧され、第２スイッチ３４がオンになると、チップはオンになったことを判断する（Ｓ５：ＹＥＳ）。その後、チップはタイマー機能を用いて２０ｍｓをカウントしてから（Ｓ９）、モータ１３の駆動を停止する（Ｓ１０）。なお、この状態ではｉＶＤＲ５はコネクタ接続を行う位置へ精度良く案内され、コネクタ部３１と接続した状態になっている。
【００８６】
さらに、チップは、コネクタ部３１を通じてｉＶＤＲ５との接続を確認するため所定の手順に従ってｉＶＤＲ５からアクセス信号の返答があるか否かを判断する（Ｓ１１）。アクセス信号を確認できない場合（Ｓ１１：ＮＯ）、チップはエラー処理２を行う。また、アクセス信号を確認できた場合（Ｓ１１：ＹＥＳ）、ｉＶＤＲ５のローディング（装着）を完了する。
【００８７】
図３５（ａ）は、エラー処理１の処理手順を示す第２フローチャートであり、この場合、チップはモータ１３の駆動を停止してから（Ｓ２０）、スイッチ基板３２に取り付けたＬＥＤ３７を点滅させて後述するｉＶＤＲ５のエジェクト処理を行う。また、図３５（ｂ）は、エラー処理２の処理手順を示す第３フローチャートであり、この場合、チップはＬＥＤ３７を点滅させて後述するｉＶＤＲ５のエジェクト処理を行う。
【００８８】
図３６の第４フローチャートは装着したｉＶＤＲ５を装着ユニット１０から取り出すための処理手順を示すものであり、この処理は、ユーザがエジェクト釦１０ａを押して第３スイッチ３５をオンさせた場合（Ｓ３０）と、上述した第２フローチャート及び第３フローチャートでエジェクト処理が行われる場合に開始される。
【００８９】
処理が開始されると、チップはｉＶＤＲ５に非アクセス状態であるか否かを判断し（Ｓ３１）、非アクセス状態でない場合（Ｓ３１：ＮＯ）、アクセスを終了させる処理を行う（Ｓ３２）。また、非アクセス状態である場合（Ｓ３１：ＹＥＳ）、及びアクセス終了処理（Ｓ３２）の後、スライダー５０が摺動始端側へ移動するようにモータ１３を駆動させる制御をチップが行い（Ｓ３３）、カウンタの値を「６０」に設定し（Ｓ３４）、５０ｍｓをカウントする（Ｓ３５）。
【００９０】
なお、上述したモータ１３の駆動により装着ユニット１０の各部は、ローディング時と逆方向の作動を行い、特にモータ駆動直後は、図１５（ａ）（ｂ）に示すように、移動スライダー２６の従動ピン２６ｄがフラップ操作レバー２７の山状カム２７ｂに沿って従動して山状カム２７ｂを押圧する。そのため、フラップ操作レバー２７が回動し、それに伴いフラップ１１が開の方向へ回動するので、移動を開始するｉＶＤＲ５にフラップ１１が引っかかるような事態の発生を防止している。なお、山状カム２７ｂのテーパ角度を変更することで、フラップ１１の開閉にかかる時間を調整することが可能である。
【００９１】
第４フローチャートに戻り説明を続けると、チップは第１スイッチがオンに切り替わったか否かを判断し（Ｓ３６）、オンにならない場合（Ｓ３６：ＮＯ）、設定したカウンタの値から「１」を減らす処理を行い（Ｓ３７）、カウンタの値が「０」になったかを判断する（Ｓ３８）。カウンタの値が「０」になっていない場合（Ｓ３８：ＮＯ）、５０ｍｓをカウントする段階へ戻り（Ｓ３５）、再度、第１スイッチ３３がオンしたかを判断し（Ｓ３６）、第１スイッチ３３がオンに切り替わらなければ、カウンタの値が「０」になるまでＳ３５〜Ｓ３８の処理を繰り返す。なお、カウンタの値が「０」になると（Ｓ３８：ＹＥＳ）、チップはエラー処理２を行う。
【００９２】
また、図１３（ａ）に示すように移動プレート２６が戻り、第１スイッチ３３がオンになると、チップはオンになったことを判断し（Ｓ３６：ＹＥＳ）、モータ１３の駆動を停止し（Ｓ３９）、ユーザは開口３ａからｉＶＤＲ５を取り出して、アンローディング処理が完了する。
【００９３】
なお、本発明に係る装着ユニット１０は上述した形態に限定されるものではなく、種々の変形例が存在する。例えば、上述した第１乃至第４フローチャートの処理制御を行うチップをコネクタ基板３０に設けないで、装着ユニット１０が取り付けられる電気機器（録画再生装置、テレビジョン装置）が有する制御部が、第１乃至第４フローチャートの処理制御を行うようにしてもよい。また、装着ユニット１０は、電気機器に内蔵される以外にも、ハウジングでユニット自体を覆うようにして単体の装置として独立させ、他の電気機器と接続線を通じて接続させてｉＶＤＲ５のアクセス（データの読み出しと書き込みの両方、又はいずれか一方の処理）処理を行うようにしてもよい。
【００９４】
また、係止爪に関しては、図２６、２７の構造を適用することも可能である。この変形例では、図２６（ａ）及び図２７（ａ）に示すようにスライダー１５０の天板１６０の両端に弾性変形が可能な弾性片１６１を設けたことが一つの特徴である。弾性片１６１は、左右のガイドレール１２４、１２５の案内壁部１２４ａ、１２５ａの外壁面に対向するように設けられている。また、係止爪１７０、１８０は代表して一方の係止爪１８０で説明すると、図２６（ｂ）及び図２７（ｂ）に示すように、爪部１８１及び軸部１８３の結合箇所から突出片部１８２を軸部１８３に直交するように突設し、突出片部１８２の先端に弾性片１６１と係合する係合部１８５を設けたことが特徴である。
【００９５】
上述した構成により、係止爪１８０（１７０）は基本的に非突出位置の方向へ係合部１８５１及び弾性片１６１の係合により付勢されることになる。詳しくは、スライダー１５０が摺動始端に位置する場合、図２６（ａ）（ｂ）に示すように、係止爪１８０は係合部１８５の弾性片１８０の係合、並びに案内壁部１２４の傾斜面１２４ｄ（図２０（ａ）の傾斜面２５ｄと同等）に係止爪１８０の爪部１８１及び軸部１８３が当接することにより、非突出位置へ規制される。その結果、ｉＶＤＲ５をスライダー１５０に装着しても爪部１８１との接触が無いため、抵抗無くｉＶＤＲ５を装着できる。なお、係止爪１８０の爪部１８０及び軸部１８３の傾斜面１２４ｄに当接する面は、当接面として機能する。
【００９６】
また、ｉＶＤＲ５を押し込んでスライダー１５０を摺動終端側へ移動させると、図２７（ｂ）に示すように、係止爪１８０の爪部１８１及びに軸部１８３が案内壁部１２４の傾斜面１２４ｄに連なる平坦な内壁面１２４ｂ（図２０（ａ）の内壁面２５ｂと同等）に当接するため、弾性片１８０が撓んで変形して軸部１８３が案内壁部１２４と平行的になり、軸部１８３の端部１８３ａの回動中心１８３ｂを中心に係止爪１８０が回動し突出位置になる。この状態では係止爪１８０はｉＶＤＲ５の凹部５ｂに係止するため、簡易な構成でｉＶＤＲ５の位置決め固定を行える。
【００９７】
さらに、係止爪に関しては、図２８〜図３１の構造を適用することも可能である。この変形例では、図３０（ａ）（ｂ）等に示すようにスライダー２５０の摺動が、ｉＶＤＲ５の装着されていない状態ではロックされることが特徴である。即ち、図２９（ａ）（ｂ）に示すように、一方側のガイドレール２２４及び係止爪２８０で説明すると、ガイドレール２２４の切欠部２２４ｃを設けた側の案内壁部２２４ａの端部は傾斜面を設けずに角部２２４ｆにしている。また、係止爪２８１は基本的に図２６（ｂ）に示す係止爪１８０と同様であるが、軸部２８３を回動中心２８３ｂより更に延長して、延長した端にＬ字状部２８４（被押圧部に相当）を設けると共に、軸部２８３の案内壁部２２４ａに対向する側に切り込みを入れてロック係合部２８４ｃを形成したことが特徴である。
【００９８】
よって、スライダー２５０が摺動始端に位置する場合は、図３０（ａ）（ｂ）に示すように、係止爪２８０（２７０）は、非突出位置であるため、係止爪２８０のロック係合部２８４ｃが案内壁部２２４ａの切欠部２２４ｃの角部２２４ｆにロック係合するため、スライダー２５０の摺動はロックされる。
【００９９】
この状態でｉＶＤＲ５が装着されると、ｉＶＤＲ５の装着面５ｄに係止爪２８０のＬ字状部２８４が接触し、さらにｉＶＤＲ５が押し込まれると図３１（ａ）（ｂ）に示すようにＬ字状部２８４が押圧されて係止爪２８０は突出位置の向きへ回動する。係止爪２８０が突出位置まで回動すると、ロック係合部２８４ｃと角部２２４ｆとのロック係合が解除され、スライダー２５０が摺動可能になると共に、係止爪２８０（２７０）がｉＶＤＲ５の凹部５ｂに係止するため、ｉＶＤＲ５の位置決め固定も行われる（図３１（ａ）（ｂ）参照）。
【０１００】
図３２及び図３３は、さらに別の変形例であり、ｉＶＤＲ５がコネクタ接続された場合、コネクタ接続される側と逆側の面が浮き上がらないように押さえるものである。具体的には、装着ユニット１０のスライダー５０に対向するように両壁３５５ｂ、３５５ｃを有するカバー３５５を設け、天板部３５５ａの中央箇所には軸受部３５９ａ、３５９ｂを設けると共に、付勢部材として板バネ３５６を取り付ける。また、カバー３５５にはＹ字状の押圧用板材３５０（対向回動部材に相当）を傾きが変えられるように回動可能に取り付けている。このように取り付けられることで押圧用部材３５０はスライダー５０に対向配置された状態になると共に、ｉＶＤＲ５の装着方向に延在することになる。
【０１０１】
押圧用板材３５０は、一方の端部３５０ａに突出部３５１を設けると共に、二股の他方の端部３５０ｂ、３５０ｃには押圧部３５２、３５３を突設する。なお、押圧部３５２、３５３は、押圧用板材３５０自体を塑性変形させて形成することも可能であり、また、押圧対象の傷付けを防止するためには、別体の合成樹脂材、フェルト材、ゴム材を取り付けて押圧部３５２、３５３を形成してもよい。なお、押圧用板材３５０の中央付近３５０ｄに軸受部３５０ｇを設けている。また、押圧用板材３５０は、シャフト３５７を軸受部３５０ｇ、３５９ａ、３５９ｂに挿通しシャフト端部をナット３５８で固定してカバー３５５に取り付ける。
【０１０２】
カバー３５５に取り付けられた押圧用板材３５０は、図３３（ａ）に示すように、板バネ３５６の付勢により突出部３５１を設けた端部が反対側の端部に比べてスライダー５０に近付くように傾斜した姿勢になる。この状態でｉＶＤＲ５を装着したスライダー５０がコネクタ接続の行われる摺動終端へ摺動すると、図３３（ｂ）の状態を経て、図３３（ｃ）に示すように突出部３５１がｉＶＤＲ５に当接する。
【０１０３】
この当接により、傾斜していた押圧用板材３５０が対向するｉＶＤＲ５と平行的な姿勢に回動し、押圧部３５２、３５３でｉＶＤＲ５のコネクタ接続される側との反対側をスライダー５０へと押圧することになり、ｉＶＤＲ５の浮き上がりを防止する。これによりｉＶＤＲ５は過度の振動が発生することなく安定した作動環境を確保できる。なお、突出部３５１はｉＶＤＲ５に当接するのではなく、スライダー５０（天板６０）に当接する構成にしてもよい。また、押圧部３５２、３５３はｉＶＤＲ５の上面を押圧する構成以外にも、下面、側面を押圧する構成にしてもよい。
【図面の簡単な説明】
【０１０４】
【図１】本発明の実施形態に係る録画再生装置の斜視図である。
【図２】ｉＶＤＲの装着面側からの斜視図である。
【図３】装着ユニットのｉＶＤＲの装着側となるフラップ側からの斜視図である。
【図４】（ａ）は装着ユニットの側面図、（ｂ）は装着ユニットの平面図、（ｃ）は装着ユニットの正面図である。
【図５】摺動始端に位置するスライダーにｉＶＤＲを装着した状態を示す装着ユニットのコネクタ基板側からの斜視図である。
【図６】ｉＶＤＲをローディングしてコネクタ接続を行った状態を示すコネクタ基板側からの斜視図である。
【図７】ｉＶＤＲの装着側から示した装着ユニットの分解斜視図である。
【図８】装着ユニットのメインシャーシに取り付けられる各部及びスライダーに取り付けられる一部の部品の位置関係を示す斜視図である。
【図９】メインシャーシに取り付けられる各部品の位置関係をメインシャーシの裏面側から示した斜視図である。
【図１０】スライダーの摺動駆動に関係する各部品の位置関係をメインシャーシの裏面側から示した斜視図である。
【図１１】スライダーの分解斜視図である。
【図１２】（ａ）は、スライダーが摺動始端に位置する場合の第４スイッチとの位置関係を示す概略図、（ｂ）はスライダーが摺動終端側へ移動した場合の第４スイッチとの位置関係を示す概略図である。
【図１３】（ａ）は、スライダーが摺動始端に位置する場合の移動プレートの位置及びメインギアの回転状態等を示す概略図、（ｂ）はスライダーが摺動終端に位置する場合の移動プレートの位置及びメインギアの回転状態等を示す概略図である。
【図１４】（ａ）フラップが閉じた状態のフラップ操作レバーの姿勢をメインシャーシの裏面側から示す斜視図、（ｂ）はｉＶＤＲが挿入されてフラップが開いた状態のフラップ操作レバーの回動した姿勢を示す斜視図である。
【図１５】ｉＶＤＲの取出時にフラップが開く状態を示した平面図である。
【図１６】ｉＶＤＲの取出時にフラップが開く状態を示したメインシャーシの裏面側からの斜視図である。
【図１７】（ａ）はｉＶＤＲをスライダーに装着して係止爪に接触した状態を示す平面図、（ｂ）は（ａ）中のＡ箇所の拡大図である。
【図１８】（ａ）はｉＶＤＲをスライダーに装着する途中に係止爪が非突出位置へ変位した状態を示す平面図、（ｂ）は（ａ）中のＢ箇所の拡大図である。
【図１９】（ａ）はｉＶＤＲをスライダーに装着して突出位置の係止爪がｉＶＤＲの凹部に係止した状態を示す平面図、（ｂ）は（ａ）中のＣ箇所の拡大図である。
【図２０】（ａ）は一方のガイドレールを示す斜視図、（ｂ）はスライダーが摺動始端に位置する場合の係止爪とガイドレールの位置関係を示す斜視図、（ｃ）はスライダーが摺動終端側へ移動する場合の係止爪とガイドレールの位置関係を示す斜視図である。
【図２１】（ａ）はｉＶＤＲの装着側からの係止爪及びガイドレールを示す分解斜視図、（ｂ）は別の角度からの係止爪及びガイドレールを示す分解斜視図である。
【図２２】スライダーが摺動始端に位置する場合のガイドレールに対する係止爪の姿勢を示す要部平面図である。
【図２３】（ａ）はスライダーが摺動始端に位置する場合の保持ギアの回転位置及び復動レバーの姿勢を示す平面図、（ｂ）はｉＶＤＲが押し込まれてスライダーが摺動終端側へ移動する場合の保持ギアの回転位置及び復動レバーの姿勢を示す平面図である。
【図２４】スライダーが摺動終端に位置してｉＶＤＲのローディングが完了した状態の保持ギアの回転位置及び復動レバーの姿勢等を示す平面図である。
【図２５】（ａ）はコネクタ部を実装したコネクタ基板の平面図、（ｂ）はコネクタ基板のメインシャーシへのフローティング構造による取付状態を示す概略図である。
【図２６】変形例の係止爪を取り付けた装着ユニットを示し、（ａ）はｉＶＤＲをスライダーに装着する際の状態を示す斜視図、（ｂ）はスライダーが摺動始端に位置する場合に係止爪が非突出位置に変位した状態を示す拡大平面図である。
【図２７】変形例の係止爪を取り付けた装着ユニットを示し、（ａ）はスライダーが摺動終端側へ移動する際の状態を示す斜視図、（ｂ）はスライダーが移動して係止爪が突出位置に変位した状態を示す拡大平面図である。
【図２８】別の変形例の係止爪を取り付けた装着ユニット及びガイドレール等を示す斜視図である。
【図２９】（ａ）は別の変形例の係止爪及びガイドレールを示す分解斜視図、（ｂ）は別の変形例の係止爪が非突出位置に変位した場合を示す平面図である。
【図３０】別の変形例の係止爪を取り付けた装着ユニットを示し、（ａ）はｉＶＤＲをロック状態のスライダーに装着した状態を示す平面図、（ｂ）は（ａ）中のＤ箇所で非突出位置の係止爪を示す拡大図である。
【図３１】（ａ）はｉＶＤＲが装着されてロックが解除された状態を示す平面図、（ｂ）はスライダーが摺動終端側へ移動した状態を示す平面図である。
【図３２】押圧用板材及びカバーの分解斜視図である。
【図３３】（ａ）はスライダーが摺動始端にいる場合の押圧用板材の姿勢を示す概略図、（ｂ）はスライダーが移動途中の場合の押圧用板材の姿勢を示す概略図、（ｃ）はｉＶＤＲを押圧用部材で押圧した状態を示す概略図である。
【図３４】ｉＶＤＲのローディング（装着）を行う際の装着ユニットに係る処理手順を示す第１フローチャートである。
【図３５】（ａ）は、装着ユニットのエラー処理１に係る処理手順を示す第２フローチャートであり、（ｂ）はエラー処理２に係る処理手順を示す第３フローチャートである。
【図３６】ｉＶＤＲのアンローディング（取出）を行う際の装着ユニットに係る処理手順を示す第４フローチャートである。
【符号の説明】
【０１０５】
１  録画再生装置
５  ｉＶＤＲ（記憶媒体）
５ｂ  凹部
５ｃ  案内溝
１０  装着ユニット
１１  フラップ
１２  メインシャーシ
１３  モータ
１８  メインギア
１９  復動レバー
２３  引張りコイルバネ
２４、２５  ガイドレール
２６  移動プレート
２７  フラップ操作レバー
２９  フラップオープナー
３０  コネクタ基板
３１  コネクタ部
３２  スイッチ基板
３３〜３６  第１スイッチ〜第４スイッチ
４８  ゴムブッシュ
５０  スライダー
５１  スライダーシャーシ
６０  天板
７０、８０  係止爪
【図１】
2007080433.tif 000003
【図２】
2007080433.tif 000004
【図３】
2007080433.tif 000005
【図４】
2007080433.tif 000006
【図５】
2007080433.tif 000007
【図６】
2007080433.tif 000008
【図７】
2007080433.tif 000009
【図８】
2007080433.tif 000010
【図９】
2007080433.tif 000011
【図１０】
2007080433.tif 000012
【図１１】
2007080433.tif 000013
【図１２】
2007080433.tif 000014
【図１３】
2007080433.tif 000015
【図１４】
2007080433.tif 000016
【図１５】
2007080433.tif 000017
【図１６】
2007080433.tif 000018
【図１７】
2007080433.tif 000019
【図１８】
2007080433.tif 000020
【図１９】
2007080433.tif 000021
【図２０】
2007080433.tif 000022
【図２１】
2007080433.tif 000023
【図２２】
2007080433.tif 000024
【図２３】
2007080433.tif 000025
【図２４】
2007080433.tif 000026
【図２５】
2007080433.tif 000027
【図２６】
2007080433.tif 000028
【図２７】
2007080433.tif 000029
【図２８】
2007080433.tif 000030
【図２９】
2007080433.tif 000031
【図３０】
2007080433.tif 000032
【図３１】
2007080433.tif 000033
【図３２】
2007080433.tif 000034
【図３３】
2007080433.tif 000035
【図３４】
2007080433.tif 000036
【図３５】
2007080433.tif 000037
【図３６】
2007080433.tif 000038